(57)【要約】【課題】使用者のスイッチ等の操作により、照度センサが手や腕の陰になっても、所定時間は照度センサを無視することにより、表示の輝度を変えないので、画面の見易い表示装置を提供する。【解決手段】表示部又は表示部近傍に照射される外光の照度を検出する照度検出手段と、該照度検出手段により検出された照度に基づいて前記表示部の輝度を調節する輝度調節手段と、前記照度検出手段の近傍に設けられ、使用者によって手動操作される操作スイッチ部と、を備えた表示装置において、前記輝度調整手段は、前記操作スイッチ部が操作されたことを検出されてから、所定時間前記操作スイッチ部の操作時の輝度を保持する。【選択図】      図３
2004348076.tif 000002
【特許請求の範囲】
【請求項１】
表示部又は表示部近傍に照射される外光の照度を検出する照度検出手段と、該照度検出手段により検出された照度に基づいて前記表示部の輝度を調節する輝度調節手段と、前記照度検出手段の近傍に設けられ、使用者によって手動操作される操作スイッチ部と、を備えた表示装置において、
前記輝度調整手段は、前記操作スイッチ部が操作されたことを検出されてから、所定時間前記操作スイッチ部の操作時の輝度を保持することを特徴とする表示装置。
【発明の詳細な説明】
【０００１】
【発明の属する技術分野】
本発明は、外部の照度よって表示部の輝度を変化させる表示装置に関する。
【０００２】
【従来の技術】
従来、画面近傍に設けられた照度センサ等で画面に照射される外光の照度を検出して、その照度に応じで画面の輝度を変えることで、画面を見やすくした表示装置が考えられた（例えば、特許文献１参照）。
【０００３】
【特許文献１】
特開平６−３３１９６２号公報（第４−６頁、第１図）
【０００４】
【発明が解決しようとする課題】
しかしながら、例えば車載用ナビゲーション装置等の表示装置では限られたスペースの中に画面や操作用のスイッチ、照度センサ等を配置する必要がある。その為、従来の技術では例えば周囲は日があたり非常に明るいにも係わらず、使用者がスイッチを操作しようとして、照度センサの近傍に手や腕で陰を作ってしまうと、表示装置は暗いと判断して所定時間画面の輝度を低下させる。その為、操作が終わり使用者が手を離して画面が明るくなった場合でも、所定時間は画面が暗いので画面が見にくくなるといった問題があった。
【０００５】
本発明は上記の点に鑑みなされたものであり、使用者のスイッチ等の操作により一時的に画面が暗くなっても、画面の輝度を変えないようにして画面の見易い表示装置を提供することを目的とする。
【０００６】
【課題を解決するための手段】
上記目的を達成するために本発明の表示装置は、表示部又は表示部近傍に照射される外光の照度を検出する照度検出手段と、該照度検出手段により検出された照度に基づいて前記表示部の輝度を調節する輝度調節手段と、前記照度検出手段の近傍に設けられ、使用者によって手動操作される操作スイッチ部と、を備えた表示装置において、
前記輝度調整手段は、前記操作スイッチ部が操作されたことを検出されてから、所定時間前記操作スイッチ部の操作時の輝度を保持する。
【０００７】
【発明の実施の形態】
以下、本発明の実施の形態を図に基づき説明する。実施の形態は車載用ナビゲーション装置の表示装置である。図１はこのナビゲーション装置の要部の構成を示すブロック図である。
【０００８】
ナビゲーション装置はＲＯＭ（２）に書き込まれたプログラムに基づいて各部を制御する制御回路（１）と、制御回路（１）の動作に必要な情報を記憶するＲＡＭ（３）を有する。そして、ＧＰＳ（Ｇｌｏｂａｌ  ＰｏｓｉｔｉｏｎｉｎｇＳｙｓｔｅｍ）衛生からの電波を受信して現在位置を測定し、測定データを制御回路（１）に出力するＧＰＳ受信部（４）と、地図情報が書き込まれた光ディスク等から地図情報を読み取る地図記憶部（５）を有する。そして、地図情報や現在位置等を制御回路（１）の制御に基づき表示する表示部（６）を有している。
【０００９】
表示部（６）は、液晶パネル（６１）とバックライト（６２）とからなり、制御回路（１）からの指示に基づいて、地図記憶部（５）に記憶された地図情報やＧＰＳ受信部（４）から得られた現在位置を液晶パネル（６１）に表示し、バックライト（６２）を点灯する。（７）は液晶パネル（６１）上に備えられ、使用者による接触を検出して入力が可能なタッチパネル式の操作部（７）である。尚、操作部は上述したタッチパネル式に限定されるものではなく、表示部（６）近傍に設けられたスイッチとしてもよい。（８）は照度センサであり、液晶パネル（６１）上及び／又は液晶パネル（６１）近傍の照度を測定し、制御回路（１）に出力する。これにより操作部（７）は照度センサ（８）の近傍に位置する。この為、操作部（７）が使用者により手動操作されると、照度センサ（８）が手や腕の陰になる。
【００１０】
制御回路（１）は、照度センサ（８）の検出した照度に応じてバックライト（６２）の輝度を制御する。図２は照度センサ（８）が検出した照度とバックライト（６２）の輝度の関係を示す説明図である。図２においてＹ軸は照度センサ（８）が検出した照度を示し、Ｘ軸はバックライト（６２）の輝度を示している。直線Ｌは照度に対する輝度の標準的な関係を示した初期設定で、Ｘ１は照度Ｙ１に対する輝度で、Ｘ２は照度Ｙ２に対する輝度であり、これら初期値によって直線Ｌが規定される。この場合、直線Ｌの傾きａはａ＝（Ｙ２−Ｙ１）／（Ｘ２−Ｘ１）…（式１）で表される。また、直線ＬのＹ切片ｂはｂ＝Ｙ１−ａＸ１…（式２）で表される。従って、例えば照度がＹｃであった場合、バックライト（６２）の輝度ＸｃはＸｃ＝（Ｙｃ−ｂ）／ａ…（式３）となる。
【００１１】
次に本実施例の制御回路（１）の動作について図３のフローチャートに基づいて説明する。まず、ナビゲーション装置の電源が投入されると、ＧＰＳ受信部（４）で測定された現在位置と、地図記憶部（５）より読み出した地図情報を液晶パネル（６１）に表示し、電源投入時に、照度センサ（８）によって検出された照度により、上述した（式３）に基づいて輝度を算出し、その輝度でバックライト（６２）を点灯させると共に、操作部（７）が操作されたか否かを判断する（ステップＳ１）。
【００１２】
ステップＳ１に於いて、操作部（７）が操作されていないと判断すると（ステップＳ１のＮ）、照度センサ（７）で照度を測定し（ステップＳ２）、その測定された照度に対応する輝度でバックライト（６２）を点灯させる（ステップＳ３）。
【００１３】
ステップＳ１に於いて、操作部（７）が操作されたと判断すると、所定時間を計測し（ステップＳ４）、操作されてから所定時間経過すると（ステップＳ４のＹ）、ステップＳ２に進み照度を測定する。
【００１４】
なお、上述の実施例では、表示部に液晶パネル（６１）とバックライト（６２）を用い、バックライト（６２）の輝度を照度に応じて制御するようにしたが、表示部はこれに限定するものではなく、表示部にＣＲＴを用いその輝度を調整するようにしてもよい。
【００１５】
【発明の効果】
本発明によると、使用者のスイッチ等の操作により、照度センサが手や腕の陰になっても、所定時間は照度センサを無視することにより、表示の輝度を変えないので、画面の見易い表示装置を提供することができる。
【図面の簡単な説明】
【図１】本発明を用いたナビゲーション装置の要部の構成を示すブロック図である。
【図２】照度と輝度の関係を示す説明図である。
【図３】本発明の制御回路の動作を示すフローチャートである。
【符号の説明】
１    制御回路
６    表示部
６１  液晶パネル
６２  バックライト
７    操作部
８    照度センサ
【図１】
2004348076.tif 000003
【図２】
2004348076.tif 000004
【図３】
2004348076.tif 000005